(57)【要約】【課題】マルチ画面表示を行った場合の画質を向上する。【解決手段】主プロジェクターでは、画像分割・分配部１１が、入力画像信号に基づく画像を、主プロジェクターにて投射する第１の領域と副プロジェクターにて投射する第２の領域とに分割し、第１の領域を示す第１の画像信号を出力するとともに、第２の領域を示す第２の画像信号を副プロジェクターに供給する。表示部１５が、第１の画像信号に基づく第１の領域の画像を形成する。副プロジェクターでは、表示部１５が、第２の画像信号に基づく第２の領域の画像を形成する。両プロジェクターのＣＰＵ部１０がそれぞれ、互いの表示部１５に形成される分割画像の大きさを調整して画像形成領域の解像度を等しいものとする。副プロジェクターのＣＰＵ部１０が、第２の領域の画像が第１の領域の画像と同じ投射サイズで投射されるように投射部１６を制御する。【選択図】図３
2015087457.tif 000002
【特許請求の範囲】
【請求項１】
画像信号を受信する第１のプロジェクターと、該第１のプロジェクターと相互に通信する少なくとも１つの第２のプロジェクターとからなり、前記画像信号に基づく画像の部分画像を、前記第１及び第２のプロジェクターが投射することにより前記画像全体が表示される画像表示システムであって、
前記第１のプロジェクターは、
前記第１のプロジェクターおよび第２のプロジェクターの台数に応じて前記画像信号に基づく画像が分割された分割画像を示す分割画像信号を生成し、対応する分割画像信号を前記第２のプロジェクターに供給する画像分割・分配部と、
第１のパネル解像度を有する第１のパネル部を備え、前記画像分割・分配部にて生成された前記分割画像信号による分割画像を前記第１のパネル部にて形成する第１の画像形成部と、
前記第１のパネル部にて形成された画像を投射する第１の投射部と、
前記第１の画像形成部における画像形成動作を制御する第１の制御部と、を有し、
前記第２のプロジェクターは、
第２のパネル解像度を有する第２のパネル部を備え、前記画像分割・分配部から供給された前記分割画像信号による分割画像を前記第２のパネル部にて形成する第２の画像形成部と、
一部のレンズが移動可能であり、該レンズの移動方向及び移動量に応じて画像の投射位置及び投射サイズが変化するように構成され、前記第２のパネル部にて形成された画像を投射する第２の投射部と、
前記第２の画像形成部における画像形成動作および前記第２の投射部における投射動作を制御する第２の制御部と、を有し、
前記第１及び第２の制御部のそれぞれは、前記第１及び第２のパネル部の前記第１及び第２のパネル解像度に応じて、各パネル部に形成される分割画像の大きさを調整して画像が形成される画像形成領域の解像度を等しいものとし、前記第２の制御部は、前記第２の投射部の前記レンズを移動させることにより投射画像の大きさを等しいものとする、画像表示システム。
【請求項２】
前記第１の制御部は、前記第２のプロジェクターから前記第２のパネル解像度を示す情報を取得し、該情報により示されるパネル解像度が前記第１のパネル解像度よりも高い場合は、前記画像分割・分配部により生成される前記分割画像信号の解像度を前記第１のパネル解像度に適合する解像度に設定する、請求項１に記載の画像表示システム。
【請求項３】
前記第１の制御部は、前記第２のプロジェクターから前記第２のパネル解像度を示す情報を取得し、該情報により示されるパネル解像度が前記第１のパネル解像度よりも低い場合は、前記画像分割・分配部により生成される前記分割画像信号の解像度を前記第２のパネル解像度に適合する解像度に設定する、請求項１または２に記載の画像表示システム。
【請求項４】
前記画像分割・分配部は、前記画像信号の解像度が前記第１のパネル解像度より大きい場合にのみ、前記分割画像信号を出力する、請求項１から３のいずれか１項に記載の画像表示システム。
【請求項５】
前記第２のプロジェクターは、複数の異なる解像度について、解像度毎に、前記レンズを移動させるためのレンズ制御情報が格納されたテーブルを、さらに有し、
前記第２の制御部は、前記画像分割・分配部から供給された前記分割画像信号の解像度に対応するレンズ制御情報を前記テーブルから取得し、該レンズ制御情報に従って前記第２の投射部の前記レンズを移動させる、請求項１から４のいずれか１項に記載の画像表示システム。
【請求項６】
外部装置から受信した画像信号に基づく画像の部分画像を投射し、該投射した部分画像と他のプロジェクターが投射した前記画像の部分画像とにより前記画像全体が表示されるプロジェクターであって、
前記プロジェクターおよび他のプロジェクターの台数に応じて前記画像信号に基づく画像が分割された分割画像を示す分割画像信号を生成し、対応する分割画像信号を前記他のプロジェクターに供給する画像分割・分配部と、
パネル部を備え、前記画像分割・分配部にて生成された前記分割画像信号による分割画像を前記パネル部にて形成する画像形成部と、
前記パネル部にて形成された画像を投射する投射部と、
前記画像形成部における画像形成動作を制御する制御部と、を有し、
前記制御部は、前記パネル部のパネル解像度及び前記他のプロジェクターのパネル解像度に応じて、前記パネル部に形成される分割画像の大きさを調整して前記パネル部及び前記他のプロジェクターのパネル部それぞれの画像が形成される画像形成領域の解像度を等しいものとする、プロジェクター。
【請求項７】
画像信号を受信する他のプロジェクターと相互に通信し、前記画像信号に基づく画像の部分画像を投射し、該投射した部分画像と前記他のプロジェクターが投射した前記画像の部分画像とにより前記画像全体を表示するプロジェクターであって、
前記他のプロジェクターから、前記プロジェクターおよび他のプロジェクターの台数に応じて前記画像信号に基づく画像が分割された分割画像を示す分割画像信号のうちの対応する分割画像信号を受信する受信部と、
パネル部を備え、前記受信部で受信した前記分割画像信号による分割画像を前記パネル部にて形成する画像形成部と、
一部のレンズが移動可能であり、該レンズの移動方向及び移動量に応じて画像の投射位置及び投射サイズが変化するように構成され、前記パネル部にて形成された画像を投射する投射部と、
前記画像形成部における画像形成動作および前記投射部における投射動作を制御する制御部と、を有し、
前記制御部は、前記パネル部のパネル解像度及び前記他のプロジェクターのパネル解像度に応じて、該パネル部に形成される分割画像の大きさを調整して該パネル部及び前記他のプロジェクターのパネル部それぞれの画像が形成される画像形成領域の解像度を等しいものとし、前記第２の投射部の前記レンズを移動させることにより投射画像の大きさを等しいものとする、プロジェクター。
【請求項８】
画像信号を受信する第１のプロジェクターと、該第１のプロジェクターと相互に通信する少なくとも１つの第２のプロジェクターとからなり、前記画像信号に基づく画像の部分画像を、前記第１及び第２のプロジェクターが投射することにより前記画像全体が表示される画像表示システムにて行われるマルチ画面表示方法であって、
前記第１のプロジェクターは、画像分割・分配部、第１のパネル解像度を有する第１のパネル部を備えた第１の画像形成部、第１の投射部及び第１の制御部を有し、前記第２のプロジェクターは、第２のパネル解像度を有する第２のパネル部を備えた第２の画像形成部、一部のレンズが移動可能であり、該レンズの移動方向及び移動量に応じて画像の投射位置及び投射サイズが変化するように構成された第２の投射部及び第２の制御部を有しており、
前記画像分割・分配部が、前記第１のプロジェクターおよび第２のプロジェクターの台数に応じて前記画像信号に基づく画像が分割された分割画像を示す分割画像信号を生成し、対応する分割画像信号を前記第２のプロジェクターに供給し、
前記第１の画像形成部が、前記画像分割・分配部にて生成された対応する前記分割画像信号による分割画像を前記第１のパネル部にて形成し、
前記第１の投射部が前記第１のパネル部にて形成された画像を投射し、
前記第２の画像形成部が、前記画像分割・分配部にて生成された対応する前記分割画像信号による分割画像を第２のパネル部にて形成し、
前記第２の投射部が、前記第２のパネル部にて形成された画像を投射し、
前記第１及び第２の制御部のそれぞれが、前記第１及び第２のパネル部の前記第１及び第２のパネル解像度に応じて、各パネル部に形成される分割画像の大きさを調整して画像が形成される画像形成領域の解像度を等しいものとし、
前記第２の制御部が、前記第２の投射部の前記レンズを移動させることにより投射画像の大きさを等しいものとする、マルチ画面表示方法。
【発明の詳細な説明】
【技術分野】
【０００１】
本発明は、複数台のプロジェクターからの投射画像を繋げて１つの大きな画面を表示するマルチ画面表示の技術に関する。
【背景技術】
【０００２】
特許文献１に、マルチ画面表示を行う画像表示システムが記載されている。図１に、その画像表示システムの概要を示す。
【０００３】
図１を参照すると、画像表示システムは、２台のプロジェクター１０１、１０２、画像信号発生器１０３及び画像信号分配器１０４を有する。
【０００４】
画像信号発生器１０３は、パーソナルコンピュータ等よりなり、ビデオ信号等の画像信号Ｓ０を画像信号分配器１０４に供給する。
【０００５】
画像信号分配器１０４は、画像信号発生器１０３より供給された画像信号Ｓ０から２つの画像信号Ｓ１、Ｓ２を生成し、画像信号Ｓ１をプロジェクター１０１に供給し、画像信号Ｓ２をプロジェクター１０２に供給する。ここで、画像信号Ｓ１、Ｓ２は、画像信号Ｓ０と同じ画像の信号である。
【０００６】
プロジェクター１０１、１０２は並べて配置されており、それらのパネル解像度は互いに同じである。例えば、プロジェクター１０１、１０２はそれぞれ、ＸＧＡ（１０２４ドット×７６８ライン）のパネル解像度を有する、液晶パネル等の表示デバイスを備え、この表示デバイスにより形成された画像をスクリーン１００に投射する。
【０００７】
プロジェクター１０１では、表示デバイスが、画像信号Ｓ１に基づく画像の予め定められた領域よりなる部分画像を形成し、この部分画像がＸＧＡの画像１０５としてスクリーン１００上に投射される。部分画像の解像度がＸＧＡと異なる場合は、ＸＧＡに適合するように部分画像の解像度を変換する。
【０００８】
プロジェクター１０２では、表示デバイスが、画像信号Ｓ２に基づく画像の予め定められた領域よりなる部分画像を形成し、この部分画像がＸＧＡの画像１０６としてスクリーン１００上に投射される。部分画像の解像度がＸＧＡと異なる場合は、ＸＧＡに適合するように部分画像の解像度を変換する。
【０００９】
画像１０５、１０６は、画像信号Ｓ０に基づく原画像を水平方向に２分割した場合の左右の画像に対応し、互いの解像度及びアスペクト比は同じである。スクリーン１００上で、画像１０５、１０６を、垂直方向の幅を揃えた上で繋げることで、原画像に対応する画像１０７を得る。
【００１０】
上記の画像システムにおいて、３台以上のプロジェクターが用いられてもよい。この場合は、画像信号分配器１０４が、画像信号を各プロジェクターに分配する。ただし、各プロジェクターのパネル解像度は同じである。
【先行技術文献】
【特許文献】
【００１１】
【特許文献１】特開２００６−１０９１６８号公報
【発明の概要】
【発明が解決しようとする課題】
【００１２】
特許文献１に記載された画像表示システムにおいては、プロジェクター１０１、１０２として、互いのパネル解像度が異なるプロジェクターを使用すると、プロジェクター１０１、１０２により投射された画像１０５、１０６の解像度やアスペクト比が互いに異なるために、マルチ画面表示の際の画質が低下するという問題がある。
【００１３】
例えば、プロジェクター１０１として、パネル解像度がＸＧＡ（１０２４ドット×７６８ライン）の表示デバイスを備えたプロジェクターを使用し、プロジェクター１０２として、パネル解像度がＷＸＧＡ（１２８０ドット×８００ライン）の表示デバイスを備えたプロジェクターを使用し、２０４８ドット×７６８ラインの画像を左右に２分割した部分画像をプロジェクター１０１、１０２にて投射する場合に、以下のような問題が生じる。
【００１４】
プロジェクター１０１において、部分画像の解像度はＸＧＡであり、これは、表示デバイスのパネル解像度（ＸＧＡ）と一致する。よって、解像度変換なしに、表示デバイスにて、ＸＧＡの部分画像が形成され、ＸＧＡの画像１０５が投射される。ＸＧＡの画像１０５のアスペクト比は４：３である。
【００１５】
一方、プロジェクター１０２においては、部分画像の解像度はＸＧＡであり、これは、表示デバイスのパネル解像度（ＷＸＧＡ）と異なる。このため、ＷＸＧＡに適合するように部分画像の解像度を変換する。この解像度変換により、表示デバイスにて、ＷＸＧＡの部分画像が形成され、ＷＸＧＡの画像１０６が投射される。ＷＸＧＡの画像１０６のアスペクト比は１６：１０である。
【００１６】
上記のように、プロジェクター１０１により投射された画像１０５の解像度及びアスペクト比は、プロジェクター１０２により投射された画像１０６の解像度及びアスペクト比と異なる。このような解像度やアスペクト比が異なる画像１０５、１０６を、垂直方向の幅を揃えた上で、繋げて１つの画像１０７を形成すると、解像度やアスペクト比の違いにより、画像１０５と画像１０６の境界が観察されたり、画像１０５、１０６に跨る被写体に違和感を生じたりする。
【００１７】
また、特許文献１に記載された画像表示システムにおいては、プロジェクターの他に、画像信号を各プロジェクターに分配するための画像信号分配器１０４が必要であるため、システムが大掛かりなものになるという問題もある。
【００１８】
本発明の目的は、上記各問題を解決し、互いのパネル解像度が異なる複数のプロジェクターを用いてマルチ画面表示を行った場合の画質を向上することができる、画像表示システム、プロジェクター及びマルチ画面表示方法を提供することにある。
【課題を解決するための手段】
【００１９】
上記目的を達成するため、本発明の一態様によれば、画像信号を受信する第１のプロジェクターと、該第１のプロジェクターと相互に通信する少なくとも１つの第２のプロジェクターとからなり、前記画像信号に基づく画像の部分画像を、前記第１及び第２のプロジェクターが投射することにより前記画像全体が表示される画像表示システムであって、
前記第１のプロジェクターは、
前記第１のプロジェクターおよび第２のプロジェクターの台数に応じて前記画像信号に基づく画像が分割された分割画像を示す分割画像信号を生成し、対応する分割画像信号を前記第２のプロジェクターに供給する画像分割・分配部と、
第１のパネル解像度を有する第１のパネル部を備え、前記画像分割・分配部にて生成された前記分割画像信号による分割画像を前記第１のパネル部にて形成する第１の画像形成部と、
前記第１のパネル部にて形成された画像を投射する第１の投射部と、
前記第１の画像形成部における画像形成動作を制御する第１の制御部と、を有し、
前記第２のプロジェクターは、
第２のパネル解像度を有する第２のパネル部を備え、前記画像分割・分配部から供給された前記分割画像信号による分割画像を前記第２のパネル部にて形成する第２の画像形成部と、
一部のレンズが移動可能であり、該レンズの移動方向及び移動量に応じて画像の投射位置及び投射サイズが変化するように構成され、前記第２のパネル部にて形成された画像を投射する第２の投射部と、
前記第２の画像形成部における画像形成動作および前記第２の投射部における投射動作を制御する第２の制御部と、を有し、
前記第１及び第２の制御部のそれぞれは、前記第１及び第２のパネル部の前記第１及び第２のパネル解像度に応じて、各パネル部に形成される分割画像の大きさを調整して画像が形成される画像形成領域の解像度を等しいものとし、前記第２の制御部は、前記第２の投射部の前記レンズを移動させることにより投射画像の大きさを等しいものとする、画像表示システムが提供される。
【００２０】
また、本発明の別の態様によれば、外部装置から受信した画像信号に基づく画像の部分画像を投射し、該投射した部分画像と他のプロジェクターが投射した前記画像の部分画像とにより前記画像全体が表示されるプロジェクターであって、
前記プロジェクターおよび他のプロジェクターの台数に応じて前記画像信号に基づく画像が分割された分割画像を示す分割画像信号を生成し、対応する分割画像信号を前記他のプロジェクターに供給する画像分割・分配部と、
パネル部を備え、前記画像分割・分配部にて生成された前記分割画像信号による分割画像を前記パネル部にて形成する画像形成部と、
前記パネル部にて形成された画像を投射する投射部と、
前記画像形成部における画像形成動作を制御する制御部と、を有し、
前記制御部は、前記パネル部のパネル解像度及び前記他のプロジェクターのパネル解像度に応じて、前記パネル部に形成される分割画像の大きさを調整して前記パネル部及び前記他のプロジェクターのパネル部それぞれの画像が形成される画像形成領域の解像度を等しいものとする、プロジェクターが提供される。
【００２１】
また、本発明のさらに別の態様によれば、画像信号を受信する他のプロジェクターと相互に通信し、前記画像信号に基づく画像の部分画像を投射し、該投射した部分画像と前記他のプロジェクターが投射した前記画像の部分画像とにより前記画像全体を表示するプロジェクターであって、
前記他のプロジェクターから、前記プロジェクターおよび他のプロジェクターの台数に応じて前記画像信号に基づく画像が分割された分割画像を示す分割画像信号のうちの対応する分割画像信号を受信する受信部と、
パネル部を備え、前記受信部で受信した前記分割画像信号による分割画像を前記パネル部にて形成する画像形成部と、
一部のレンズが移動可能であり、該レンズの移動方向及び移動量に応じて画像の投射位置及び投射サイズが変化するように構成され、前記パネル部にて形成された画像を投射する投射部と、
前記画像形成部における画像形成動作および前記投射部における投射動作を制御する制御部と、を有し、
前記制御部は、前記パネル部のパネル解像度及び前記他のプロジェクターのパネル解像度に応じて、該パネル部に形成される分割画像の大きさを調整して該パネル部及び前記他のプロジェクターのパネル部それぞれの画像が形成される画像形成領域の解像度を等しいものとし、前記第２の投射部の前記レンズを移動させることにより投射画像の大きさを等しいものとする、プロジェクターが提供される。
【００２２】
また、本発明の他の態様によれば、画像信号を受信する第１のプロジェクターと、該第１のプロジェクターと相互に通信する少なくとも１つの第２のプロジェクターとからなり、前記画像信号に基づく画像の部分画像を、前記第１及び第２のプロジェクターが投射することにより前記画像全体が表示される画像表示システムにて行われるマルチ画面表示方法であって、
前記第１のプロジェクターは、画像分割・分配部、第１のパネル解像度を有する第１のパネル部を備えた第１の画像形成部、第１の投射部及び第１の制御部を有し、前記第２のプロジェクターは、第２のパネル解像度を有する第２のパネル部を備えた第２の画像形成部、一部のレンズが移動可能であり、該レンズの移動方向及び移動量に応じて画像の投射位置及び投射サイズが変化するように構成された第２の投射部及び第２の制御部を有しており、
前記画像分割・分配部が、前記第１のプロジェクターおよび第２のプロジェクターの台数に応じて前記画像信号に基づく画像が分割された分割画像を示す分割画像信号を生成し、対応する分割画像信号を前記第２のプロジェクターに供給し、
前記第１の画像形成部が、前記画像分割・分配部にて生成された対応する前記分割画像信号による分割画像を前記第１のパネル部にて形成し、
前記第１の投射部が前記第１のパネル部にて形成された画像を投射し、
前記第２の画像形成部が、前記画像分割・分配部にて生成された対応する前記分割画像信号による分割画像を第２のパネル部にて形成し、
前記第２の投射部が、前記第２のパネル部にて形成された画像を投射し、
前記第１及び第２の制御部のそれぞれが、前記第１及び第２のパネル部の前記第１及び第２のパネル解像度に応じて、各パネル部に形成される分割画像の大きさを調整して画像が形成される画像形成領域の解像度を等しいものとし、
前記第２の制御部が、前記第２の投射部の前記レンズを移動させることにより投射画像の大きさを等しいものとする、マルチ画面表示方法が提供される。
【発明の効果】
【００２３】
本発明によれば、互いのパネル解像度が異なる複数のプロジェクターを用いてマルチ画面表示を行った場合の画質を向上することができる。
【図面の簡単な説明】
【００２４】
【図１】本発明の関連技術であるマルチ画面表示を行う画像表示システムの概要を示す模式図である。
【図２】本発明の一実施形態の画像表示システムの構成を示すブロック図である。
【図３】図２に示す画像表示システムを構成するプロジェクターの基本構成を示すブロック図である。
【図４】図２に示す画像表示システムにて行われる主／副判定の一手順を示すフローチャートである。
【図５】図２に示す画像表示システムの主プロジェクターにて行われるマルチ画面表示動作の一手順を示すフローチャートである。
【図６】図２に示す画像表示システムの副プロジェクターにて行われるマルチ画面表示動作の一手順を示すフローチャートである。
【図７】本発明の他の実施形態である画像表示システムを説明するための模式図である。
【図８】図７に示す画像表示システムにおける主プロジェクターにより投射される投射画像（ＸＧＡ）と副プロジェクターにより投射される投射画像（ＷＸＧＡ）を示す模式図である。
【図９】図７に示す画像表示システムにおける副プロジェクターにて行われるレンズ制御情報の作成手順を説明するための図である。
【図１０】図７に示す画像表示システムにて表示されるマルチ画面の一例を示す。
【図１１】映像供給装置から供給される画像信号の一例を示す模式図である。
【図１２】主プロジェクターにて投射される画像に関する画像信号の一例を示す模式図である。
【図１３】副プロジェクターにて投射される画像に関する画像信号の一例を示す模式図である。
【図１４】図７に示す画像表示システムにて表示されるマルチ画面の別の例を示す模式図である。
【発明を実施するための形態】
【００２５】
次に、本発明の実施形態について図面を参照して説明する。
【００２６】
図２は、本発明の一実施形態の画像表示システムの構成を示すブロック図である。
【００２７】
図２を参照すると、画像表示システムは、相互に通信が可能なプロジェクター１、２を有し、プロジェクター１、２からの投射画像を繋げることによりマルチ画面表示を行う。
【００２８】
プロジェクター１、２のうちの一方が主プロジェクターであり、他方が副プロジェクターである。図２の例では、プロジェクター１が主プロジェクターとされ、プロジェクター２が副プロジェクターとされている。
【００２９】
プロジェクター１、２の基本的な構成は同じであるが、互いの表示部（表示パネル）のパネル解像度が異なる。
【００３０】
図３に、プロジェクター１、２として用いられるプロジェクターの基本構成を示す。
【００３１】
図３を参照すると、プロジェクターは、ＣＰＵ（Central Circuit Unit）部１０、画像分割・分配部１１、解像度変換部１２、パネル駆動部１３、光学ユニット１４、光学ユニット制御部１７、通信部１８、記憶部１９、映像入力端子２１、映像出力端子２２、操作部２３およびシステムバス２０を有する。
【００３２】
光学ユニット１４は、画像を形成する表示部１５と、表示部１５により形成された画像を投射する投射部１６とを有する。
【００３３】
表示部１５は、光源と、液晶パネルやＤＭＤ（Digital Micromirror Device）等の表示素子と、光源からの光を表示素子に照射するための照明光学系などを有する。これらの構成は、プロジェクターの構成としてよく知られているので、ここでは、その詳細な説明は省略する。
【００３４】
投射部１６は、プロジェクター本体を動かさずに、画像の投射位置や投射サイズを調整することができる調整手段を備える。調整手段としては、レンズシフト機構やズームフォーカス機構がある。
【００３５】
レンズシフト機構は、複数のレンズからなる投射レンズの一部のレンズを投射レンズの光軸と交差する方向に移動させる機構である。このレンズシフト機構によれば、レンズの移動方向及び移動量に応じて、画像の投射位置が変化する。
【００３６】
ズームフォーカス機構は、投射レンズの少なくとも一部のレンズを光軸に沿って前後に移動する機構である。このズームフォーカス機構によれば、レンズの移動方向及び移動量に応じて、画像の投射サイズが変化し、また、フォーカスの調整も可能である。
【００３７】
画像分割・分配部１１、解像度変換部１２、パネル駆動部１３、光学ユニット制御部１７、通信部１８、記憶部１９及び操作部２３はそれぞれ、システムバス２０を介してＣＰＵ部１０と接続さている。
【００３８】
記憶部１９は、プロジェクターを動作させるのに必要なプログラムやデータを格納する記憶手段よりなる。記憶手段は、例えば、ＲＯＭ（Read Only Memory）やＲＡＭ（Random Access Memory）など半導体メモリ等であってもよい。
【００３９】
ＣＰＵ部１０は、記憶部１９に格納されたプログラムに従って動作し、操作部２３からの指示信号に応じて、画像分割・分配部１１、解像度変換部１２、パネル駆動部１３、光学ユニット制御部１７及び通信部１８の動作を制御する。ＣＰＵ部１０は、記憶部１９に格納されたデータを参照したり、必要なデータを記憶部１９に格納したりする。
【００４０】
通信部１８は、外部装置（例えば、パーソナルコンピュータ等の映像供給装置や他のプロジェクターなど）との間で相互に通信を行う。この相互通信には、ＲＳ２３２Ｃ等の通信ケーブルを用いた通信、無線ＬＡＮ（Local Area Network）やＤＤＣ／ＣＩ（Display Data Channel Command Interface）を用いた通信など、種々の通信を適用することができる。
【００４１】
操作部２３は、ユーザによる入力操作を受け付けて、入力操作に応じた指示信号をＣＰＵ部１０に供給する。操作部２３は、複数の操作キーや各種モードを設定するための設定ボタンなどを含む。また、操作部２３は、リモコンなどの外部装置を含んでいてもよい。設定ボタンは、通常表示モードやマルチ画面表示モードなどの設定ボタンを含む。
【００４２】
通常表示モードは、プロジェクター単体で画像を表示するモードである。マルチ画面表示モードは、自プロジェクターの投射画像と他のプロジェクターの投射画像とを繋げてマルチ画面表示を行うモードである。
【００４３】
ＣＰＵ部１０は、マルチ画面表示ボタンが押下されると、自プロジェクターが主プロジェクター及び副プロジェクターのいずれであるかを判定する。例えば、ＣＰＵ部１０は、映像入力端子２１に接続された装置から当該装置の識別情報を取得し、その識別情報に基づいて、当該装置が映像供給装置及びプロジェクターのいずれであるかを判定する。識別情報が映像供給装置を示す場合は、自プロジェクターが主プロジェクターであると判定し、識別情報がプロジェクターを示す場合は、自プロジェクターが副プロジェクターであると判定する。映像供給装置やプロジェクターの識別情報は予め与えられている。識別情報により示される装置が映像供給装置及びプロジェクターのいずれでもない場合は、ＣＰＵ部１０は、その旨を示すメッセージを含む画像を表示部１５に形成させてもよい。また、例えば、識別情報がプロジェクターを示す場合は、自プロジェクターが副プロジェクターであると判定し、それ以外の場合、例えば、識別情報を入手できない場合などは、自プロジェクターが主プロジェクターであると判定してもよい。
【００４４】
映像入力端子２１には、外部の映像供給装置または他のプロジェクターからの画像信号Ｓ０が供給される。映像供給装置は、例えばパーソナルコンピュータやビデオ機器などである。
【００４５】
画像分割・分配部１１は、ＣＰＵ部１０からの制御信号に従って動作し、映像入力端子２１を介して画像信号Ｓ０を受信する。
【００４６】
通常表示モードの場合は、画像分割・分配部１１は、画像信号Ｓ０をそのまま画像信号Ｓ１、Ｓ２として出力する。
【００４７】
マルチ画面表示モードの場合で、自プロジェクターが主プロジェクターである場合は、画像分割・分配部１１は、画像信号Ｓ０に基づく画像を、主プロジェクターにて投射される第１のエリア（分割画像）と副プロジェクターにて投射される第２のエリア（分割画像）とに分割し、第１のエリアを示す画像信号Ｓ１を解像度変換部１２に供給し、第２のエリアを示す画像信号Ｓ２を映像出力端子２２に供給する。第１及び第２のエリアの互いの解像度は同じである。
【００４８】
画像信号Ｓ０の画像を分割するエリアの数は、画像表示システムを構成するプロジェクターの数によって決まる。エリア数や、エリアとプロジェクターとの対応関係を示す情報は、マルチ画面表示を行う際または予め、ユーザにより指定される。
【００４９】
例えば、主プロジェクターにおいて、ユーザがマルチ画面表示を行うためのマルチ画面表示ボタンを押すと、ＣＰＵ部１０は、マルチ画面表示に必要な情報を設定するための設定画面を表示部１５に形成させる。ユーザは、スクリーン上に投射された設定画面を見ながら、操作部２３を用いて、マルチ画面表示に必要な情報を入力することができる。ここで、マルチ画面表示に必要な情報は、例えば、エリア数や、エリアとプロジェクターとの対応関係の情報などを含む。図３の例では、プロジェクターの数は２であるので、エリア数は２である。
【００５０】
マルチ画面表示モードの場合で、自プロジェクターが副プロジェクターである場合は、画像分割・分配部１１は、映像入力端子２１を介して、主プロジェクターから出力された画像信号Ｓ２を画像信号Ｓ０として受信する。画像分割・分配部１１は、その受信した画像信号Ｓ０をそのまま画像信号Ｓ１として解像度変換部１２に供給する。
【００５１】
解像度変換部１２は、ＣＰＵ部１０からの制御信号に従って動作し、通常表示モードの場合は、画像分割・分配部１１からの画像信号Ｓ１に基づく画像の解像度を表示部１５での画像形成に最適な解像度に変換する（表示部１５のパネル解像度に適合するように解像度を変換する。）。マルチ画面表示モードの場合は、解像度変換をしない旨を示す制御信号がＣＰＵ部１０から解像度変換部１２に供給される。解像度変換部１２は、その制御信号に従い、画像分割・分配部１１からの画像信号Ｓ１を、解像度変換することなく、そのまま出力する。
【００５２】
パネル駆動部１３は、解像度変換部１２からの画像信号Ｓ１に基づいて表示部１５を駆動する。なお、表示部１５とパネル駆動部１３を含むものを表示部としてもよい。
【００５３】
光学ユニット制御部１７は、ＣＰＵ部１０からの制御信号に従って光学ユニット１４を制御するものであって、投射部１６のレンズシフト機構を制御するレンズシフト制御部１７ａと、投射部１６のズームフォーカス機構を制御するズームフォーカス制御部１７ｂとを有する。
【００５４】
ユーザは、操作部２３の操作キー（例えば、方向キー）を用いて、レンズシフト機構のシフト量（移動量）及びシフト方向（移動方向）を指定することができる。ここで、シフト方向は、投射レンズの光軸と交差する方向である。レンズの中心が投射レンズの光軸と一致する状態を基準にして、レンズのシフト量及びシフト方向が指定される。
【００５５】
操作部２３は、指定されたシフト量及びシフト方向を示す指示信号をＣＰＵ部１０に供給する。ＣＰＵ部１０は、操作部２３からの指示信号に基づいて、レンズシフト制御部１７ａに対して、シフト量及びシフト方向を通知する。レンズシフト制御部１７ａは、ＣＰＵ部１０によって通知されたシフト量及びシフト方向に基づいてレンズシフト機構を制御する。
【００５６】
また、ユーザは、操作部２３の操作ボタン（例えば、ズーム操作ボタンやフォーカスボタン）を用いて、ズームフォーカス機構を操作することができる。操作部２３は、ユーザの操作に応じて、レンズの移動量及び移動方向を示す指示信号をＣＰＵ部１０に供給する。ここで、レンズの移動方向は、投射レンズの光軸に沿った方向であり、前方（投射側）または後方（パネル側）を移動方向として指定することができる。レンズの移動量は、基準位置からの前後へのレンズの移動量を示す。
【００５７】
ＣＰＵ部１０は、操作部２３からの指示信号に基づいて、ズームフォーカス制御部１７ｂに対して、移動量及び移動方向を通知する。ズームフォーカス制御部１７ｂは、ＣＰＵ部１０によって通知された移動量及び移動方向に基づいてズームフォーカス機構を制御する。
【００５８】
ＣＰＵ部１０は、レンズシフト機構のシフト量及びシフト方向それぞれを示す設定値やズームフォーカス機構の移動量及び移動方向それぞれを示す設定値を記憶部１９に保持させ、必要に応じて、それら設定値を、レンズシフト制御部１７ａやズームフォーカス制御部１７ｂに通知してもよい。
【００５９】
例えば、複数の解像度について、解像度毎に、レンズシフト機構のシフト量及びシフト方向の各設定値、及び、ズームフォーカス機構の移動量及び移動方向の各設定値が格納されたレンズ制御情報テーブルを、記憶部１９に保持させてもよい。
【００６０】
なお、ＣＰＵ部１０が、光学ユニット制御部１７に代わって、上記制御（レンズシフト制御部１７ａやズームフォーカス制御部１７ｂの制御）を行ってもよい。この場合、ＣＰＵ部１０の一部の機能により、光学ユニット制御部１７が構成される。
【００６１】
また、記憶部１９には種々の設定画面情報が格納されており、ＣＰＵ部１０は、操作部２３からの指示信号に応じて必要な設定画面情報を記憶部１９から読出し、読出した設定画面情報を示す画像を、パネル駆動部１３を介して表示部１５に形成させてもよい。この場合、ユーザが、操作部２３にて、設定画面の各項目に対する情報の入力または選択を行う操作を行うと、操作部２３がその操作に応じた指示信号をＣＰＵ部１０に供給し、ＣＰＵ部１０は、操作部２３からの指示信号に基づいて設定情報を記憶部１９に格納してもよい。
【００６２】
次に、本実施形態の画像表示システムの動作について具体的に説明する。
（１）プロジェクターの配置／接続
図２及び図３を参照する。
【００６３】
ユーザは、プロジェクター１、２をそれぞれ、マルチ画面表示を行うための所定の位置に配置する。そして、ユーザは、映像供給装置の出力端子をプロジェクター１の映像入力端子２１に接続し、プロジェクター２の映像入力端子２１をプロジェクター１の映像出力端子２２に接続する。その後、ユーザは、映像供給装置及び主プロジェクター１、２それぞれの電源を入れ、プロジェクター１の通信部１８とプロジェクター２の通信部１８との間の通信接続を行う。
（２）主／副判定
上記セッティングの後、ユーザは、マルチ画面表示を行うために、プロジェクター１、２それぞれにおいて、操作部２３のマルチ画面表示ボタンを押下する。
【００６４】
プロジェクター１、２のそれぞれでは、ＣＰＵ部１０が、自プロジェクターが主プロジェクター及び副プロジェクターのどちらであるかを判定する。
【００６５】
図４に、主／副判定の一手順を示す。
【００６６】
ＣＰＵ部１０は、映像入力端子２１に接続された装置から識別情報を取得する（ステップＳ１０）。
【００６７】
次に、ＣＰＵ部１０は、ステップＳ１０で取得した識別情報が映像供給装置を示すか否かを判定する（ステップＳ１１）。
【００６８】
ステップＳ１１の判定結果が「Ｙｅｓ」である場合は、ＣＰＵ部１０は、自プロジェクターが主プロジェクターであると判定する（ステップＳ１２）。
【００６９】
ステップＳ１１の判定結果が「Ｎｏ」である場合は、ＣＰＵ部１０は、ステップＳ１０で取得した識別情報がプロジェクターを示すか否かを判定する（ステップＳ１３）。
【００７０】
ステップＳ１３の判定結果が「Ｙｅｓ」である場合は、ＣＰＵ部１０は、自プロジェクターが副プロジェクターであると判定する（ステップＳ１４）。
【００７１】
ステップＳ１３の判定結果が「Ｎｏ」である場合は、主／副判定は終了する。このとき、ＣＰＵ部１０は、所定のメッセージを含む画像を表示部１５にて形成させてもよい。
【００７２】
なお、主／副判定は、図４に示した判定手順に限定されるものではない。主／副判定は、ユーザにより入力された情報に基づいて行われてもよい。
【００７３】
例えば、マルチ画面表示を行うのに必要な情報を設定するための設定画面の項目の１つに、主／副判定に必要な情報を設定する項目を設けてもよい。この場合は、ＣＰＵ部１０が、その設定画面を表示部１５にて形成させ、ユーザが、操作部２３を用いて、設定画面の項目毎に必要な情報を入力する。そして、ＣＰＵ部１０が、ユーザにより入力された情報に基づいて、主／副判定を行う。
【００７４】
（３）マルチ画面表示
上述した主／副判定の後、プロジェクター１、２のそれぞれにおいて、マルチ画面表示動作が行われる。
【００７５】
図５に、主プロジェクターにて行われるマルチ画面表示動作の一手順を示し、図６に、副プロジェクターにて行われるマルチ画面表示動作の一手順を示す。なお、マルチ画面表示に必要な情報は、予め設定されているものとする。
【００７６】
以下の説明では、混乱を避けるために、プロジェクター１を主プロジェクター１と記載し、プロジェクター２を副プロジェクター２と記載する。また、図３に示した各構成について、符号に「＿１」を付加したものを主プロジェクター１の構成とし、符号に「＿２」を付加したものを副プロジェクター２の構成とする。
【００７７】
まず、図３及び図５を参照して主プロジェクター１のマルチ画面表示動作を説明する。
【００７８】
ＣＰＵ部１０＿１が、主プロジェクター１の動作モードをマルチ画面表示モードに移行する（ステップＳ２０）。そして、画像分割・分配部１１＿１が、映像入力端子２１＿１に供給された画像信号Ｓ０＿１の解像度が表示部１５＿１のパネル解像度より高いか否かを判定する（ステップＳ２１）。
【００７９】
なお、ステップＳ２１の判定は、ＣＰＵ部１０＿１が行ってもよい。この場合は、画像分割・分配部１１＿１が、映像入力端子２１＿１に供給された画像信号Ｓ０＿１の解像度をＣＰＵ部１０＿１に通知し、ＣＰＵ部１０＿１が、画像分割・分配部１１＿１から通知された解像度が表示部１５＿１のパネル解像度より高いか否かを判定する。
【００８０】
ステップＳ２１の判定結果が「Ｎｏ」である場合は、ＣＰＵ部１０＿１は、主プロジェクター１の動作モードを通常表示モードに移行する（ステップＳ２２）。
【００８１】
ステップＳ２１の判定結果が「Ｙｅｓ」である場合は、ＣＰＵ部１０＿１は、通信部１８＿１を介して、副プロジェクター２から表示部１５＿２のパネル解像度の情報を取得する（ステップＳ２３）。そして、ＣＰＵ部１０＿１は、主プロジェクター１の表示部１５＿１のパネル解像度と副プロジェクター２の表示部１５＿２のパネル解像度とを比較する（ステップＳ２４）。
【００８２】
ステップＳ２３の比較において、表示部１５＿１のパネル解像度が表示部１５＿２のパネル解像度より低い場合は、ＣＰＵ部１０＿１は、表示部１５＿１のパネル解像度を基準とする画像分割処理を画像分割・分配部１１＿１にて行わせる（ステップＳ２５）。
【００８３】
表示部１５＿１のパネル解像度を基準とする画像分割処理において、ＣＰＵ部１０＿１は、表示部１５＿１のパネル解像度に適合するように、画像信号Ｓ０＿１に基づく画像を複数のエリアに分割する際のエリアの解像度を決定する。表示部１５＿１のパネル解像度に適合する解像度とは、表示部１５＿１における画像形成に適した解像度を示す。ＣＰＵ部１０＿１は、エリア数、エリアの解像度及びエリア／プロジェクター対応関係の情報を含む画像分割情報を画像分割・分配部１１＿１に供給する。
【００８４】
画像分割・分配部１１＿１は、画像分割情報に基づいて、画像信号Ｓ０＿１に基づく画像を複数のエリアに分割する。ここでは、プロジェクターの数は２であり、エリア数は２であるので、画像分割・分配部１１＿１は、画像信号Ｓ０＿１に基づく画像を主プロジェクターにて投射される第１のエリアと副プロジェクターにて投射される第２のエリアとに分割し、第１のエリアを示す画像信号Ｓ１＿１を解像度変換部１２に供給し、第２のエリアを示す画像信号Ｓ２＿１を映像出力端子２２＿１に供給する。第１及び第２のエリアの解像度は、表示部１５＿１のパネル解像度に適合する解像度であり、共に同じである。
【００８５】
ステップＳ２３の比較において、表示部１５＿１のパネル解像度が表示部１５＿２のパネル解像度より高い場合は、ＣＰＵ部１０＿１は、表示部１５＿２のパネル解像度を基準とする画像分割処理を画像分割・分配部１１＿１にて行わせる（ステップＳ２６）。
【００８６】
表示部１５＿２のパネル解像度を基準とする画像分割処理において、ＣＰＵ部１０＿１は、表示部１５＿２のパネル解像度に適合するように、画像信号Ｓ０＿１に基づく画像を複数のエリアに分割する際のエリアの解像度を決定する。表示部１５＿２のパネル解像度に適合する解像度とは、表示部１５＿２における画像形成に適した解像度を示す。ＣＰＵ部１０＿１は、エリア数、エリアの解像度及びエリア／プロジェクター対応関係の情報を含む画像分割情報を画像分割・分配部１１＿１に供給する。
【００８７】
画像分割・分配部１１＿１は、画像分割情報に基づいて、画像信号Ｓ０＿１に基づく画像を複数のエリアに分割する。ここでは、プロジェクターの数は２であり、エリア数は２であるので、画像分割・分配部１１＿１は、画像信号Ｓ０＿１に基づく画像を、主プロジェクターにて投射される第１のエリアと副プロジェクターにて投射される第２のエリアとに分割し、第１のエリアを示す画像信号Ｓ１＿１を解像度変換部１２に供給し、第２のエリアを示す画像信号Ｓ２＿１を映像出力端子２２に供給する。第１及び第２のエリアの解像度は、表示部１５＿２のパネル解像度に適合する解像度であり、共に同じである。
【００８８】
ステップＳ２５またはＳ２６の画像分割処理の後、ＣＰＵ部１０＿１は、画像分割・分配部１１＿１から出力された画像信号Ｓ１＿１を、解像度変換部１２＿１での解像度変換なしに、そのままパネル駆動部１３＿１に供給させる。パネル駆動部１３＿１は、画像信号Ｓ１＿１に基づく第１のエリアの画像を表示部１５＿１にて形成させる。そして、投射部１６＿１が表示部１５＿１にて形成された第１のエリアの画像をスクリーン上に投射する（ステップＳ２７）。
【００８９】
次に、図４及び図６を参照して副プロジェクター２のマルチ画面表示動作を説明する。
【００９０】
ＣＰＵ部１０＿２が、副プロジェクター２の動作モードをマルチ画面表示モードに移行する（ステップＳ３０）。その後、画像分割・分配部１１＿２が、映像入力端子２１＿２を介して、主プロジェクター１から出力された第２のエリアの画像を示す画像信号Ｓ２＿１を画像信号Ｓ０＿２として受信する（ステップＳ３１）。そして、画像分割・分配部１１＿２が、ＣＰＵ部１０＿２からの制御信号に従って、画像信号Ｓ０＿２（第２のエリア）を画像信号Ｓ１＿２としてそのまま解像度変換部１２＿２に供給し、さらに、画像信号Ｓ０＿２（第２のエリア）の解像度をＣＰＵ部１０＿２に通知する。
【００９１】
次に、ＣＰＵ部１０＿２が、記憶部１９＿２に保持されているレンズ制御情報テーブルを検索し（ステップＳ３２）、画像信号Ｓ０＿２（第２のエリア）の解像度に該当する設定値があるか否かを判定する（ステップＳ３３）。
【００９２】
ステップＳ３３の判定結果が「Ｙｅｓ」である場合は、ＣＰＵ部１０＿２は、レンズ制御情報テーブルから該当する設定値を取得し、その設定値を光学ユニット制御部１７＿２に供給する。そして、光学ユニット制御部１７＿２が、ＣＰＵ部１０＿２からの設定値に基づいて投射部１６＿２のレンズシフト機能及びズームフォーカス機能を制御する（ステップＳ３４）。
【００９３】
ステップＳ３２〜Ｓ３４の処理の前または後に、もしくは、ステップＳ３２〜Ｓ３４の処理と平行して、ＣＰＵ部１０＿２が、画像分割・分配部１１＿２から出力された画像信号Ｓ１＿２を、解像度変換部１２＿２による解像度変換なしに、そのままパネル駆動部１３＿２に供給させる。そして、パネル駆動部１３＿２が、画像信号Ｓ１＿２に基づく第２のエリアの画像を表示部１５＿２にて形成させる。
【００９４】
次に、投射部１６＿２が、表示部１５＿２にて形成された第２のエリアの画像を、主プロジェクター１により投射された第１のエリアの画像と同じサイズでスクリーン上の所定の位置に投射する（ステップＳ３５）。
【００９５】
ステップＳ３３の判定結果が「Ｎｏ」である場合は、ＣＰＵ部１０＿２は、第２のエリアの画像の解像度について、レンズ制御情報（レンズシフト機構及びズームフォーカス機構それぞれのレンズの移動量及び移動方向）をレンズ制御情報テーブルに登録する処理を実行する（ステップＳ３６）。
【００９６】
レンズ制御情報登録処理において、ＣＰＵ部１０＿２は、まず、レンズシフト機構及びズームフォーカス機構をそれぞれ初期状態とするように光学ユニット制御部１７＿２に指示し、光学ユニット制御部１７＿２が、レンズシフト機構及びズームフォーカス機構をそれぞれ初期状態にする。
【００９７】
ここで、レンズシフト機構の初期状態とは、移動するレンズの光軸と投射レンズの光軸が一致するような状態を示す。レンズシフト機構により画像の投射位置を調整した場合には、この状態を基準にして、レンズの移動量及び移動方向（シフト方向）を検出する。
【００９８】
また、ズームフォーカス機構の初期状態とは、所定の拡大率で、ピントが合った状態を示す。ズームフォーカス機構により画像の投射サイズを調整した場合には、この状態を基準にして、レンズの移動量及び移動方向を検出する。
【００９９】
次に、ユーザが、操作部２３＿２を用いて、第２のエリアの画像が主プロジェクター１より投射された第１のエリアの画像に隣接する所定の位置に投射され、かつ、第２のエリアの画像の垂直方向におけるサイズ（縦幅）が第１のエリアの画像の垂直方向におけるサイズ（縦幅）と一致するように、レンズシフト機構及びズームフォーカス機構を操作する。
【０１００】
上記操作後、ＣＰＵ部１０＿２は、レンズシフト機構及びズームフォーカス機構それぞれについて、初期状態からのレンズの移動量及び移動方向を示す値を取得し、取得した値を第２のエリアの画像の解像度を示す解像度識別情報とともにレンズ制御情報テーブルに格納する。ここで、初期状態からのレンズの移動量及び移動方向を示す値は、例えば、レンズモータの回転方向や回転量に基づいて取得することができる。
【０１０１】
なお、上記レンズ制御情報登録処理を実行する場合に、ＣＰＵ部１０＿２は、パネル駆動部１３＿２を介して、レンズ制御情報を登録するための操作手順を示すメッセージを表示部１５＿２に表示させてもよい。
【０１０２】
ステップＳ３６のレンズ制御情報登録の後、ステップＳ３２の検索が実行される。
【０１０３】
上記のマルチ画面表示動作において、第１及び第２のエリアの画像（分割画像）を表示部１５＿１、１５＿２にて形成させる際に、ＣＰＵ部１０＿１及びＣＰＵ部１０＿２のそれぞれが、表示部１５＿１のパネル解像度及び表示部１５＿２のパネル解像度に応じて、表示部１５＿１、１５＿２に形成される分割画像の大きさを調整して画像が形成される画像形成領域の解像度を等しいものとする制御を行ってもよい。これにより、種々の解像度の画像信号Ｓ０に対応することができる。
【０１０４】
本実施形態の画像表示システムにおいて、プロジェクターの数は３つ以上であってもよい。例えば、図３に示した構成において、映像出力端子２２を２つ以上設けることで、主プロジェクターに２つ以上の副プロジェクターを接続することができる。この場合は、ユーザは、マルチ画面表示に必要な情報として、出力端子／プロジェクター対応関係を示す情報をさらに入力する。そして、図５のステップＳ２５またはＳ２６の画像分割処理において、ＣＰＵ部１０は、エリア数、エリアの解像度、エリア／プロジェクター対応関係、及び出力端子／プロジェクター対応関係の各情報を含む画像分割情報を、画像分割・分配部１１に供給する。
【０１０５】
画像分割・分配部１１は、画像分割情報を参照し、プロジェクターの台数に応じて画像信号Ｓ０に基づく画像が分割された分割画像を示す分割画像信号を生成し、対応する分割画像信号を各副プロジェクターに供給してもよい。例えば、画像分割・分配部１１は、主プロジェクターにて投射される第１のエリアを示す画像信号Ｓ１を解像度変換部１２に供給し、それぞれの副プロジェクターで投射される第２のエリアを示す各画像信号Ｓ２を対応する映像出力端子２２に供給する。
【０１０６】
以上説明した本実施形態の画像表示システムによれば、プロジェクター１のパネル解像度がプロジェクター２のパネル解像度と異なるが、画像信号Ｓ０の画像を分割した第１及び第２のエリアの画像（分割画像）の解像度は互いに同じである。第１、第２のエリアの画像はそれぞれ、解像度変換されることなく、表示部１５＿１、１５＿２にて形成される。ＣＰＵ部１０＿１、１０＿２の制御により、表示部１５＿１、１５＿２に形成された第１及び第２のエリアの画像（分割画像）の大きさ及び位置が調整され、それぞれの画像形成領域の解像度が一致する。よって、投射部１６＿１によって投射された第１のエリアの画像の解像度は、投射部１６＿２によって投射された第２のエリアの画像の解像度と一致し、これら投射画像のアスペクト比も一致する。したがって、これら第１及び第２のエリアの画像によるマルチ画面表示において、第１のエリアの画像と第２のエリアの画像の境界が観察されることはなく、また、第１及び第２のエリアの画像に跨る被写体に違和感が生じることもない。このように、本実施形態の画像表示システムによれば、図１に示した画像表示システムと比較して、マルチ画面表示を行った場合の画質が向上する。
【０１０７】
また、本実施形態の画像表示システムによれば、以下のような効果も得られる。
【０１０８】
プロジェクターのパネル解像度は様々であり、例えば、上述したＸＧＡやＷＸＧＡの他に、ＳＶＧＡ（８００ドット×６００ライン）、ＳＸＧＡ（１４００ドット×１０５０ライン）、１０８０Ｐ（１９２０ドット×１０８０ライン）、ＷＵＸＧＡ（１９２０ドット×１２００ライン）といったパネル解像度のものがある。ユーザによっては、プロジェクターを単体で使用する場合の利便性や価格などを考慮し、画像表示システムを構成するにあたり、解像度が異なる複数のプロジェクターを購入したい場合がある。
【０１０９】
しかし、図１に示した画像表示システムでは、パネル解像度が同じ複数のプロジェクターを使用するという制約があるために、ユーザは、パネル解像度が異なるプロジェクターを自由に選択することはできない。これは、ユーザに対して、利便性や価格の面で不利な条件を与えることになる。
【０１１０】
本実施形態の画像表示システムでは、パネル解像度が異なるプロジェクターを使用することができるので、ユーザは、利便性や価格を考慮して、パネル解像度が異なるプロジェクターを自由に選択することができる。
【０１１１】
また、図１に示した画像表示システムと比較して、画像信号を各プロジェクターに分配するための画像信号分配器１０４が不要であるので、システムの小型化や簡潔化を図ることができる。
【０１１２】
（他の実施形態）
図７は、本発明の他の実施形態である画像表示システムを説明するための模式図である。
【０１１３】
図７を参照すると、画像表示システムは、ＸＧＡのパネル解像度を有する主プロジェクター４と、ＷＸＧＡのパネル解像度を有する副プロジェクター５を有する。スクリーン８側から見た場合に、副プロジェクター５は主プロジェクター４の左側に配置されている。
【０１１４】
主プロジェクター４及び副プロジェクター５はいずれも、図３に示したような構成を有する。以下の説明では、図３に示した各構成について、符号に「＿１」を付加したものを主プロジェクター４の構成とし、符号に「＿２」を付加したものを副プロジェクター５の構成とする。
【０１１５】
映像供給装置３は、画像信号Ｓ０＿１を主プロジェクター４の映像入力端子２１＿１に供給する。ここでは、画像信号Ｓ０＿１として、１７９２ドット×７６８ラインの解像度を有する画像を示す画像信号が用いられる。
【０１１６】
主プロジェクター４では、画像分割・分配部１１＿１が、画像信号Ｓ０＿１の画像を、主プロジェクター４にて投射するＸＧＡの画像である第１のエリアと、副プロジェクター５にて投射するＸＧＡの画像である第２のエリアに分割する。そして、画像分割・分配部１１＿１が、第１のエリアの画像を示す画像信号Ｓ１＿１を、解像度変換部１２＿１を介してパネル駆動部１３＿１に供給し、第２のエリアの画像を示す画像信号Ｓ２＿１を、映像出力端子２２＿１を介して副プロジェクター５に供給する。
【０１１７】
パネル駆動部１３＿１は、画像信号Ｓ１＿１に基づく第１のエリアの画像（ＸＧＡ）を表示部１５＿１にて形成させ、投射部１６＿１が、表示部１５＿１にて形成された第１のエリアの画像（ＸＧＡ）を投射画像６としてスクリーン８上に投射する。
【０１１８】
一方、副プロジェクター５では、主プロジェクター４からの画像信号Ｓ２＿１は画像信号Ｓ０＿２として映像入力端子２１＿２に供給される。画像分割・分配部１１＿２は、画像信号Ｓ０＿２をそのまま画像信号Ｓ１＿２としてパネル駆動部１３＿２に供給する。
【０１１９】
パネル駆動部１３＿２は、画像信号Ｓ１＿２に基づく第２のエリアの画像（ＸＧＡ）を表示部１５＿２にて形成させ、投射部１６＿２が、表示部１５＿２にて形成された第２のエリアの画像（ＸＧＡ）を投射画像７としてスクリーン８上に投射する。
【０１２０】
光学ユニット制御部１７＿２は、投射部１６＿１が投射した投射画像６と同じ投射サイズで、かつ、投射画像６に隣接して、投射画像７を投射するように投射部１６＿２を制御する。
【０１２１】
以下に、光学ユニット制御部１７＿２による投射部１６＿２の制御方法について説明する。
【０１２２】
まず、主プロジェクター４及び副プロジェクター５を共に通常表示モードに設定し、映像供給装置からＸＧＡの画像信号Ｓ０＿１を主プロジェクター４の映像入力端子２１＿１に供給する。
【０１２３】
主プロジェクター４では、画像分割・分配部１１＿１が、画像信号Ｓ０＿１を２つの画像信号Ｓ１＿１、Ｓ２＿１に分配する。画像信号Ｓ１＿１、Ｓ２＿１は、画像信号Ｓ０＿１と同じものである。
【０１２４】
画像信号Ｓ１＿１は、解像度変換部１２＿１による解像度変換なしに、パネル駆動部１３＿１に供給される。パネル駆動部１３＿１は、画像信号Ｓ１＿１の画像（ＸＧＡ）を表示部１５＿１にて形成させる。そして、投射部１６＿１が、表示部１５＿１にて形成された画像（ＸＧＡ）を投射する。
【０１２５】
一方、画像信号Ｓ１＿２は、映像出力端子２２＿１を介して副プロジェクター５の映像入力端子２１＿２に、画像信号Ｓ０＿２として供給される。
【０１２６】
副プロジェクター５では、画像分割・分配部１１＿１が、画像信号Ｓ０＿２をそのまま画像信号Ｓ１＿２として解像度変換部１２＿２に供給する。解像度変換部１２＿２は、画像信号Ｓ１＿２の画像（ＸＧＡ）を、表示部１５＿２での画像形成に最適な解像度（ＷＸＧＡ）に変換して上で、パネル駆動部１３＿２に供給する。
【０１２７】
パネル駆動部１３＿２は、解像度変換された画像信号Ｓ１＿２の画像（ＷＸＧＡ）を表示部１５＿２にて形成させる。そして、投射部１６＿２が、表示部１５＿２にて形成された画像（ＷＸＧＡ）を投射する。
【０１２８】
ユーザは、主プロジェクター４からの投射画像（ＸＧＡ）と副プロジェクター５からの投射画像（ＷＸＧＡ）が、垂直方向の幅が一致し、かつ、互いに隣接するように、主プロジェクター４および副プロジェクター５を操作する。この操作において、ユーザは、主プロジェクター４および副プロジェクター５それぞれの筺体を回転または移動させたり、レンズシフト機構やズームフォーカス機構を用いて各投射画像の投射サイズや投射位置を調整したりする。
【０１２９】
図８に、主プロジェクター４からの投射画像（ＸＧＡ）と副プロジェクター５からの投射画像（ＷＸＧＡ）を模式的に示す。この例では、主プロジェクター４からのＸＧＡの投射画像６と、副プロジェクター５からのＷＸＧＡの投射画像７が隣接して配置されている。投射画像６、７の垂直方向における幅は同じである。すなわち、投射画像６、７により横長の画面が形成されている。
【０１３０】
図８に示した状態において、副プロジェクター５の投射部１６＿２におけるレンズシフト機構やズームフォーカス機構のレンズの移動量や移動方向の基準値を取得する。そして、副プロジェクター５の投射部１６＿２が第２のエリアの画像（ＸＧＡ）を投射画像７として投射する場合のレンズ制御情報を作成する。
【０１３１】
図９は、レンズ制御情報の作成手順を説明するための図であり、図面の上部に示した分図（ａ）は、調整前の投射画像を示す模式図であり、下部の分図（ｂ）は調整後の投射画像を示す模式図である。
【０１３２】
例えば、ユーザは、副プロジェクター５の操作部２３＿２にて、画像分割・分配部１１＿１から出力されたＸＧＡの画像信号Ｓ１＿２を、解像度変換部１２＿２による解像度変換なしに、パネル駆動部１３＿２に供給させるための所定の操作を行う。
【０１３３】
所定の操作を受けて、ＣＰＵ部１０＿２が、画像分割・分配部１１＿１から出力されたＸＧＡの画像信号Ｓ１＿２を、解像度変換部１２＿２による解像度変換なしに、パネル駆動部１３＿２に供給させる。そして、パネル駆動部１３＿２が、画像信号Ｓ１＿２の画像（ＸＧＡ）を表示部１５＿２にて形成させる。このとき、画像（ＸＧＡ）の中心をパネルのセンター位置と一致させるために、図９（ａ）に示すように、水平方向で１２８ドット、垂直方向で１６ラインのオフセットをかける。このオフセットは、ＣＰＵ部１０＿２がパネル駆動部１３＿２を介して表示部１５＿２における画像形成動作を制御することで行われる。
【０１３４】
図９（ａ）に示す例では、投射画像７の投射サイズは、図８に示した状態と比較して、水平方向において、左右それぞれで１２８ドットだけ小さく、垂直方向において、上下それぞれで１６ラインだけ小さい。このため、投射画像７の投射サイズは投射画像６のそれよりも小さく、投射画像７は投射画像６に隣接しない。
【０１３５】
ユーザは、操作部２３＿２を用いて投射部１６＿２のレンズシフト機能及びズームフォーカス機能を操作する。具体的には、図９（ｂ）に示すように、投射画像７の投射サイズが投射画像６の投射サイズと一致し、投射画像７が投射画像６の右側に隣接するように、レンズシフト機能やズームフォーカス機能を操作する。
【０１３６】
図９（ｂ）に示した状態で、投射部１６＿２のレンズシフト機能及びズームフォーカス機能の移動方向及び移動量の各設定値が、レンズ制御情報として記憶部１９＿２のレンズ制御情報テーブルに格納される。このとき、レンズ制御情報には、ＸＧＡを示す解像度識別情報が付与される。
【０１３７】
マルチ画面表示を行う際は、副プロジェクター５において、ＣＰＵ部１０＿２が、画像信号Ｓ１＿２に基づく第２のエリアの画像（ＸＧＡ）を解像度変換なしに表示部１５＿２に表示させ、さらに、記憶部１９＿２に保持されているＸＧＡの解像度識別情報が付与されたレンズ制御情報（移動量及び移動方法の各設定値）を光学ユニット制御部１７に供給する。そして、光学ユニット制御部１７が、そのレンズ制御情報に基づいて投射部１６＿２を制御する。これにより、図９（ｂ）に示したように、副プロジェクター５から投射されたＸＧＡの投射画像７は、主プロジェクター４により投射されたＸＧＡの投射画像６に隣接し、かつ、投射画像７の投射サイズは投射画像６の投射サイズと一致する。
【０１３８】
図１０に、本実施形態の画像表示システムのマルチ画面の一例を示す。本実施形態の画像表示システムによれば、図９（ｂ）に示した状態でマルチ画面表示を行うことで、図１０に示すような、２０４８ドット×７６８ラインの解像度を有するマルチ画面を表示することができる。
【０１３９】
次に、主プロジェクター４の画像分割・分配部１１＿１の動作について、具体的に説明する。
【０１４０】
画像分割・分配部１１＿１は、映像供給装置３から画像信号Ｓ０＿１を受信する。図１１に、映像供給装置３から供給される画像信号Ｓ０＿１の一例を示す。
【０１４１】
図１１において、図面上部には、１７９２ドット×７６８ラインの画像が模式的に示されており、図面下部には、その１７９２ドット×７６８ラインの画像を示すDataイネーブル信号（ＤＥ）と垂直同期信号及び水平同期信号とが示されている。
【０１４２】
画像信号Ｓ０＿１は、図１１に示した、Dataイネーブル信号（ＤＥ）と垂直同期及び水平同期をそれぞれ示す同期信号を含む。本実施形態では、スクリーン８側から見た場合に、副プロジェクター５は主プロジェクター４の左隣に配置されている。このため、画像分割・分配部１１＿１は、画像信号Ｓ０＿１の画像を水平方向に第１及び第２のエリアに分割し、第１のエリアを示す画像信号Ｓ１＿１と第２のエリアを示す画像信号Ｓ２＿１を出力する。
【０１４３】
図１２に、画像信号Ｓ１＿１の一例を示し、図１３に、画像信号Ｓ２＿１の一例を示す。
【０１４４】
図１２において、図面上部には、８９６ドット×７６８ラインの画像が模式的に示されており、図面下部には、その８９６ドット×７６８ラインの画像を示すDataイネーブル信号（ＤＥ）と垂直同期信号及び水平同期信号とが示されている。ここで、上部の画像は、図１１に示した画像信号Ｓ０＿１の画像を左右に２つのエリアに分割した場合の左側のエリアの画像である。
【０１４５】
図１３において、図面上部には、８９６ドット×７６８ラインの画像が模式的に示されており、図面下部には、その８９６ドット×７６８ラインの画像を示すDataイネーブル信号（ＤＥ）と垂直同期信号及び水平同期信号とが示されている。ここで、上部の画像は、図１１に示した画像信号Ｓ０＿１の画像を左右に２つのエリアに分割した場合の右側のエリアの画像である。
【０１４６】
画像分割・分配部１１＿１は、映像供給装置３から図１１に示した、Dataイネーブル信号（ＤＥ）と垂直同期及び水平同期の同期信号とを含む画像信号Ｓ０＿１を受信し、図１２に示した、Dataイネーブル信号（ＤＥ）と垂直同期及び水平同期の同期信号とを含む画像信号Ｓ１＿１と、図１３に示した、Dataイネーブル信号（ＤＥ）と垂直同期及び水平同期の同期信号とを含む画像信号Ｓ２＿１とを出力する。
【０１４７】
本実施形態では、主プロジェクター４と副プロジェクター５は左右に並べて配置されており、マルチ画面表示を行った場合の画面の解像度は最大で２０４８ドット×７６８ラインである。
【０１４８】
主プロジェクター４において、図１２に示した画像信号Ｓ１＿１の画像（８９６ドット×７６８ライン）の中心を表示部１５＿１のパネル中心に合わせると、投射画像の水平方向（左右方向）の幅は、最大表示のときよりも左右それぞれで６４ドットだけ狭い。
【０１４９】
同様に、副プロジェクター５において、図１３に示した画像信号Ｓ２＿１の画像（８９６ドット×７６８ライン）の中心を表示部１５＿２のパネル中心に合わせると、投射画像の水平方向（左右方向）の幅は、最大表示のときよりも左右それぞれで６４ドットだけ狭い。
【０１５０】
このため、図１２に示した画像信号Ｓ１＿１の画像をそのまま主プロジェクター４にて投射し、図１３に示した画像信号Ｓ２＿１に基づく画像をそのまま副プロジェクター５にて投射すると、各投射画像の間に１２８ドット（＝６４ドット×２）の幅の隙間が生じる。この隙間をなくすために、主プロジェクター４及び副プロジェクター５それぞれにおいて、画面位置の調整が行われる。
【０１５１】
例えば、主プロジェクター４において、ＣＰＵ部１０＿１がパネル駆動部１３＿１を介して表示部１５＿１における画像形成動作を制御することで画面位置の調整を行い、副プロジェクター５において、ＣＰＵ部１０＿２がパネル駆動部１３＿２を介して表示部１５＿２における画像形成動作を制御することで画面位置の調整を行う。具体的には、以下のような画面位置の調整が行われる。
【０１５２】
主プロジェクター４では、Dataイネーブル信号（ＤＥ）の立ち下りエッジで画面位置を調整する。例えば、ＣＰＵ部１０＿１は、画像信号Ｓ１＿１について、１０２４ドット目に、Dataイネーブル信号（ＤＥ）の立ち下りエッジを設定する。
【０１５３】
一方、副プロジェクター５では、Dataイネーブル信号（ＤＥ）の立ち上がりエッジで画面位置を調整する。例えば、ＣＰＵ部１０＿２は、画像信号Ｓ２＿１について、１ドット目に、Dataイネーブル信号（ＤＥ）の立ち上がりエッジを設定する。
【０１５４】
上記画面位置の調整により、図１４に示すような、１７９２ドット×７６８ラインの画面を得ることができる。この画面では、主プロジェクター４からの投射画像と副プロジェクター５からの投射画像は隙間なく繋がっており、上記の最大表示時の画面（２０４８ドット×７６８ライン）と比較して、水平方向の幅が左右それぞれで１２８ドットだけ狭い。
【０１５５】
なお、本実施形態において、映像供給装置３から供給される画像信号Ｓ０の解像度は、図１１に示した１７９２ドット×７６８ラインの解像度に限定されない。
【０１５６】
画像信号Ｓ０の解像度は、例えば、１３６６ドット×７６８ライン、１４４０ドット×９００ライン、１６００ドット×９００ライン、２０４８ドット×１５３６ライン、２８８０ドット×１６００ラインなどの解像度であってもよい。
【０１５７】
画像信号Ｓ０の解像度が１３６６ドット×７６８ラインである場合は、水平方向について、１３６６ドットの幅を６８３ドットで２分割すればよい。
【０１５８】
画像信号Ｓ０の解像度が１４４０ドット×９００ラインである場合は、水平方向について、１４４０ドットの幅を７２０ドットで２分割し、垂直方向については、９００ラインを７６８ラインにライン変換すればよい。
【０１５９】
画像信号Ｓ０の解像度が１６００ドット×９００ラインである場合は、水平方向について、１６００ドットの幅を８００ドットで２分割し、垂直方向については、９００ラインを７６８ラインにライン変換すればよい。
【０１６０】
画像信号Ｓ０の解像度が２０４８ドット×１５３６ラインである場合は、水平方向について、２０４８ドットの幅を１０２４ドットで２分割し、垂直方向については、１５３６ラインを７６８ラインにライン変換すればよい。
【０１６１】
以上説明した上述した実施形態は、本発明の一例であり、その構成や動作は、発明の趣旨を逸脱しない範囲で、当業者が理解し得る変更を適用することができる。
【０１６２】
例えば、ｎ×ｍのマルチ画面表示を行うように画像表示システムを構成することも可能である。この場合は、ｎ×ｍ個のプロジェクターを使用し、そのうちの１つが主プロジェクターとされ、他が副プロジェクターとされる。各画面と各プロジェクターとの対応関係は予め設定される。
【０１６３】
また、２台以上の副プロジェクターを用いる場合、副プロジェクターのパネル解像度が互いに異なっていてもよく、また、一部の副プロジェクターのパネル解像度が主プロジェクターのパネル解像度と同じであってもよい。
【０１６４】
また、副プロジェクターは、図３に示した構成のうち、画像分割・分配部を受信部に代えてもよい。この場合、受信部は、画像信号Ｓ０を画像信号Ｓ１として解像度変換部１２に供給する。
【０１６５】
また、本発明は、以下の付記１〜８のような形態をとり得るが、これら形態に限定されない。
［付記１］
画像信号を受信する第１のプロジェクターと、該第１のプロジェクターと相互に通信する少なくとも１つの第２のプロジェクターとからなり、前記画像信号に基づく画像の部分画像を、前記第１及び第２のプロジェクターが投射することにより前記画像全体が表示される画像表示システムであって、
前記第１のプロジェクターは、
前記第１のプロジェクターおよび第２のプロジェクターの台数に応じて前記画像信号に基づく画像が分割された分割画像を示す分割画像信号を生成し、対応する分割画像信号を前記第２のプロジェクターに供給する画像分割・分配部と、
第１のパネル解像度を有する第１のパネル部を備え、前記画像分割・分配部にて生成された前記分割画像信号による分割画像を前記第１のパネル部にて形成する第１の画像形成部と、
前記第１のパネル部にて形成された画像を投射する第１の投射部と、
前記第１の画像形成部における画像形成動作を制御する第１の制御部と、を有し、
前記第２のプロジェクターは、
第２のパネル解像度を有する第２のパネル部を備え、前記画像分割・分配部から供給された前記分割画像信号による分割画像を前記第２のパネル部にて形成する第２の画像形成部と、
一部のレンズが移動可能であり、該レンズの移動方向及び移動量に応じて画像の投射位置及び投射サイズが変化するように構成され、前記第２のパネル部にて形成された画像を投射する第２の投射部と、
前記第２の画像形成部における画像形成動作および前記第２の投射部における投射動作を制御する第２の制御部と、を有し、
前記第１及び第２の制御部のそれぞれは、前記第１及び第２のパネル部の前記第１及び第２のパネル解像度に応じて、各パネル部に形成される分割画像の大きさを調整して画像が形成される画像形成領域の解像度を等しいものとし、前記第２の制御部は、前記第２の投射部の前記レンズを移動させることにより投射画像の大きさを等しいものとする、画像表示システム。
［付記２］
前記第１の制御部は、前記第２のプロジェクターから前記第２のパネル解像度を示す情報を取得し、該情報により示されるパネル解像度が前記第１のパネル解像度よりも高い場合は、前記画像分割・分配部により生成される前記分割画像信号の解像度を前記第１のパネル解像度に適合する解像度に設定する、付記１に記載の画像表示システム。
［付記３］
前記第１の制御部は、前記第２のプロジェクターから前記第２のパネル解像度を示す情報を取得し、該情報により示されるパネル解像度が前記第１のパネル解像度よりも低い場合は、前記画像分割・分配部により生成される前記分割画像信号の解像度を前記第２のパネル解像度に適合する解像度に設定する、付記１または２に記載の画像表示システム。
［付記４］
前記画像分割・分配部は、前記画像信号の解像度が前記第１のパネル解像度より大きい場合にのみ、前記分割画像信号を出力する、付記１から３のいずれか１つに記載の画像表示システム。
［付記５］
前記第２のプロジェクターは、複数の異なる解像度について、解像度毎に、前記レンズを移動させるためのレンズ制御情報が格納されたテーブルを、さらに有し、
前記第２の制御部は、前記画像分割・分配部から供給された前記分割画像信号の解像度に対応するレンズ制御情報を前記テーブルから取得し、該レンズ制御情報に従って前記第２の投射部の前記レンズを移動させる、付記１から４のいずれか１つに記載の画像表示システム。
［付記６］
外部装置から受信した画像信号に基づく画像の部分画像を投射し、該投射した部分画像と他のプロジェクターが投射した前記画像の部分画像とにより前記画像全体が表示されるプロジェクターであって、
前記プロジェクターおよび他のプロジェクターの台数に応じて前記画像信号に基づく画像が分割された分割画像を示す分割画像信号を生成し、対応する分割画像信号を前記他のプロジェクターに供給する画像分割・分配部と、
パネル部を備え、前記画像分割・分配部にて生成された前記分割画像信号による分割画像を前記パネル部にて形成する画像形成部と、
前記パネル部にて形成された画像を投射する投射部と、
前記画像形成部における画像形成動作を制御する制御部と、を有し、
前記制御部は、前記パネル部のパネル解像度及び前記他のプロジェクターのパネル解像度に応じて、前記パネル部に形成される分割画像の大きさを調整して前記パネル部及び前記他のプロジェクターのパネル部それぞれの画像が形成される画像形成領域の解像度を等しいものとする、プロジェクター。
［付記７］
画像信号を受信する他のプロジェクターと相互に通信し、前記画像信号に基づく画像の部分画像を投射し、該投射した部分画像と前記他のプロジェクターが投射した前記画像の部分画像とにより前記画像全体を表示するプロジェクターであって、
前記他のプロジェクターから、前記プロジェクターおよび他のプロジェクターの台数に応じて前記画像信号に基づく画像が分割された分割画像を示す分割画像信号のうちの対応する分割画像信号を受信する受信部と、
パネル部を備え、前記受信部で受信した前記分割画像信号による分割画像を前記パネル部にて形成する画像形成部と、
一部のレンズが移動可能であり、該レンズの移動方向及び移動量に応じて画像の投射位置及び投射サイズが変化するように構成され、前記パネル部にて形成された画像を投射する投射部と、
前記画像形成部における画像形成動作および前記投射部における投射動作を制御する制御部と、を有し、
前記制御部は、前記パネル部のパネル解像度及び前記他のプロジェクターのパネル解像度に応じて、該パネル部に形成される分割画像の大きさを調整して該パネル部及び前記他のプロジェクターのパネル部それぞれの画像が形成される画像形成領域の解像度を等しいものとし、前記第２の投射部の前記レンズを移動させることにより投射画像の大きさを等しいものとする、プロジェクター。
［付記８］
画像信号を受信する第１のプロジェクターと、該第１のプロジェクターと相互に通信する少なくとも１つの第２のプロジェクターとからなり、前記画像信号に基づく画像の部分画像を、前記第１及び第２のプロジェクターが投射することにより前記画像全体が表示される画像表示システムにて行われるマルチ画面表示方法であって、
前記第１のプロジェクターは、画像分割・分配部、第１のパネル解像度を有する第１のパネル部を備えた第１の画像形成部、第１の投射部及び第１の制御部を有し、前記第２のプロジェクターは、第２のパネル解像度を有する第２のパネル部を備えた第２の画像形成部、一部のレンズが移動可能であり、該レンズの移動方向及び移動量に応じて画像の投射位置及び投射サイズが変化するように構成された第２の投射部及び第２の制御部を有しており、
前記画像分割・分配部が、前記第１のプロジェクターおよび第２のプロジェクターの台数に応じて前記画像信号に基づく画像が分割された分割画像を示す分割画像信号を生成し、対応する分割画像信号を前記第２のプロジェクターに供給し、
前記第１の画像形成部が、前記画像分割・分配部にて生成された対応する前記分割画像信号による分割画像を前記第１のパネル部にて形成し、
前記第１の投射部が前記第１のパネル部にて形成された画像を投射し、
前記第２の画像形成部が、前記画像分割・分配部にて生成された対応する前記分割画像信号による分割画像を第２のパネル部にて形成し、
前記第２の投射部が、前記第２のパネル部にて形成された画像を投射し、
前記第１及び第２の制御部のそれぞれが、前記第１及び第２のパネル部の前記第１及び第２のパネル解像度に応じて、各パネル部に形成される分割画像の大きさを調整して画像が形成される画像形成領域の解像度を等しいものとし、
前記第２の制御部が、前記第２の投射部の前記レンズを移動させることにより投射画像の大きさを等しいものとする、マルチ画面表示方法。
【０１６６】
上述した付記１〜５の画像表示システムにおいて、第１、第２のプロジェクターはそれぞれ、図２に示したプロジェクター１、２に相当する。
【０１６７】
また、第１の画像形成部は、前述したプロジェクター１の解像度変換部１２＿１、パネル駆動１３＿１及び表示部１５＿１からなる画像形成部に相当し、第２の画像形成部は、前述したプロジェクター２の解像度変換部１２＿２、パネル駆動１３＿２及び表示部１５＿２からなる画像形成部に相当する。
【０１６８】
また、第１の制御部は、前述したプロジェクター１のＣＰＵ部１０＿１に相当し、第２の制御部は、前述したプロジェクター２のＣＰＵ部１０＿２に相当する。
【０１６９】
また、付記６のプロジェクターはプロジェクター１に相当し、付記７のプロジェクターはプロジェクター２に相当する。
【符号の説明】
【０１７０】
１、２  プロジェクター
１０  ＣＰＵ部
１１  画像分割・分配部
１２  解像度変換部
１３  パネル駆動部
１４  光学ユニット
１５  表示部
１６  投射部
１７  光学ユニット制御部
１７ａ  レンズシフト制御部
１７ｂ  ズームフォーカス制御部
１８  通信部
１９  記憶部
２０  システムバス
２１  映像入力端子
２２  映像出力端子
２３  操作部
【図１】
2015087457.tif 000003
【図２】
2015087457.tif 000004
【図３】
2015087457.tif 000005
【図４】
2015087457.tif 000006
【図５】
2015087457.tif 000007
【図６】
2015087457.tif 000008
【図７】
2015087457.tif 000009
【図８】
2015087457.tif 000010
【図９】
2015087457.tif 000011
【図１０】
2015087457.tif 000012
【図１１】
2015087457.tif 000013
【図１２】
2015087457.tif 000014
【図１３】
2015087457.tif 000015
【図１４】
2015087457.tif 000016